(57)【要約】【課題】調理器本体内に充満した冷却風により加熱庫が影響を受けず、しかも必要時には簡易にメンテナンスが可能な加熱調理器を提供することを目的とする。【解決手段】調理器本体１は、鍋などの被加熱物を載置する天板２と、天板２の下部に配置され被加熱物を電磁誘導加熱する加熱コイルと、天板２の下部において左右方向の一方側に配置された加熱操作部４と、加熱操作部４の他方側に位置する開放部９とを有し、この調理器本体１の開放部９には、調理器本体１とは別個に独立し、庫内で加熱調理する加熱庫６を配置し、この加熱庫６を調理器本体１に外部から着脱自在に取り付けたものである。これによって、加熱庫６を調理器本体１の冷却風の影響から隔離することができ、しかも加熱庫６を調理器本体１の開放部９に外部から着脱自在に取り付けていることで、必要時には簡易にメンテナンスが可能となるものである。【選択図】図１
2006344455.tif 000002
【特許請求の範囲】
【請求項１】
調理器本体は、鍋などの被加熱物を載置する天板と、天板の下部に配置され被加熱物を電磁誘導加熱する加熱コイルと、天板の下部において左右方向の一方側に配置された加熱操作部と、加熱操作部の他方側に位置する開放部とを有し、この調理器本体の開放部には、調理器本体とは別個に独立し、庫内で加熱調理する加熱庫を配置し、この加熱庫を調理器本体に外部から着脱自在に取り付けた加熱調理器。
【請求項２】
加熱庫はその外側を断熱部材で覆った請求項１に記載の加熱調理器。
【請求項３】
加熱庫の排気口は、調理器本体の冷却空気の排気口と同一箇所に配置した請求項１または２に記載の加熱調理器。
【請求項４】
加熱庫はその前面に加熱庫扉を一体に備えた請求項１〜３のいずれか１項に記載の加熱調理器。
【発明の詳細な説明】
【技術分野】
【０００１】
本発明は、鍋などを電磁誘導加熱する調理機能と魚などの焼く加熱調理機能を有する加熱調理器に関するものである。
【背景技術】
【０００２】
従来、この種の加熱調理器としては、電磁誘導加熱調理器とロースターとを同一の調理器本体ケースに一体的に装備しているものが知られている（例えば、特許文献１参照）。
【特許文献１】特開２００１−２９６０２９号公報
【発明の開示】
【発明が解決しようとする課題】
【０００３】
しかしながら、前記従来の構成では、電磁誘導加熱調理器内の電子回路などを冷却するため、冷却風が供給されており、調理器本体内に充満した冷却風が、ロースターで魚などを調理中に調理器本体の一部と加熱庫との間から加圧されて加熱庫内に流入することがあり、加熱庫での加熱が乱されることがあった。さらに、冷却時に冷却能力を可変にすることによって、調理中の騒音を最小限にする構成としている場合には、加熱庫内への冷却風の侵入は冷却能力の可変状態により変化して加熱庫での加熱がより一層乱されるといった課題があった。また、ロースターは、魚などの調理に使用するために、掃除しても汚れが残って数年程度使用すると、外観的にも美観を損ねて加熱調理器全体の商品性を損ねることにもなるため、メンテナンスをする必要があった。
【０００４】
本発明は、前記従来の課題を解決するもので、調理器本体内に充満した冷却風により加熱庫が影響を受けず、しかも必要時には簡易にメンテナンスが可能な加熱調理器を提供することを目的とする。
【課題を解決するための手段】
【０００５】
前記従来の課題を解決するために、本発明の加熱調理器は、調理器本体が、鍋などの被加熱物を載置する天板と、天板の下部に配置され被加熱物を電磁誘導加熱する加熱コイルと、天板の下部において左右方向の一方側に配置された加熱操作部と、加熱操作部の他方側に位置する開放部とを有し、この調理器本体の開放部には、調理器本体とは別個に独立し、庫内で加熱調理する加熱庫を配置し、この加熱庫を調理器本体に外部から着脱自在に取り付けたものである。
【０００６】
これによって、加熱庫を調理器本体の冷却風の影響から隔離することができ、しかも加熱庫を調理器本体の開放部に外部から着脱自在に取り付けていることで、必要時には簡易にメンテナンスが可能となるものである。
【発明の効果】
【０００７】
本発明の加熱調理器は、調理器本体内に充満した冷却風により加熱庫が影響を受けず、しかも必要時には簡易にメンテナンスが可能となる。
【発明を実施するための最良の形態】
【０００８】
第１の発明は、調理器本体は、鍋などの被加熱物を載置する天板と、天板の下部に配置され被加熱物を電磁誘導加熱する加熱コイルと、天板の下部において左右方向の一方側に配置された加熱操作部と、加熱操作部の他方側に位置する開放部とを有し、この調理器本体の開放部には、調理器本体とは別個に独立し、庫内で加熱調理する加熱庫を配置し、この加熱庫を調理器本体に外部から着脱自在に取り付けた加熱調理器とすることにより、加熱庫を調理器本体の冷却風の影響から隔離することができ、しかも加熱庫を調理器本体の開放部に外部から着脱自在に取り付けていることで、必要時には簡易にメンテナンスが可能となるものである。
【０００９】
第２の発明は、特に、第１の発明において、加熱庫はその外側を断熱部材で覆ったことにより、加熱庫による調理時に加熱庫から発生する熱を調理器本体内に放出することのないものとすることができる。
【００１０】
第３の発明は、特に、第１または第２の発明において、加熱庫の排気口は、調理器本体の冷却空気の排気口と同一箇所に配置したことにより、排気構成のコンパクト化がはかれるものである。
【００１１】
第４の発明は、特に、第１〜第３のいずれか１つの発明において、加熱庫はその前面に加熱庫扉を一体に備えたことにより、メンテナンス時に加熱庫全体を調理器本体から取り外すことができるものである。
【００１２】
以下、本発明の実施の形態について、図面を参照しながら説明する。なお、この実施の形態によって本発明が限定されるものではない。
【００１３】
（実施の形態）
図は、本発明の実施の形態における加熱調理器を示すものである。
【００１４】
図１〜図４に示すように、調理器本体１は、鍋などの被加熱物８を載置する耐熱ガラスで形成された天板２と、天板２の下部に配置され被加熱物８を電磁誘導加熱する複数の加熱コイル３と、天板２の下部において左右方向の一方側に配置された加熱操作部４および制御回路５と、加熱操作部４の他方側に位置する開放部９とを有している。この調理器本体１の開放部９には、調理器本体１とは別個に独立し、庫内で加熱調理するロースターなどの加熱庫６を配置し、この加熱庫６を調理器本体１に外部から着脱自在に取り付けたものである。
【００１５】
また、制御回路５は約４．８ｋＷの消費電力を制御するものであり、加熱コイル３は約３ｋＷの電力を電磁誘導するものである。これらは、電動機（図示せず）で駆動されるシロッコファンよりなる冷却装置７で調理器本体１内に外気を取り入れて冷却される。このとき、調理器本体１内に外気を取り入れるので調理器本体１内の内圧が外気（大気圧）よりも上昇する。具体的には０．１気圧以下の圧力である。冷却装置７は制御回路５により回転速度と回転と停止が制御される。
【００１６】
加熱庫６は、加熱操作部４と反対側の側面および天板２と反対側の底面にそれぞれ取り付けフランジ１０を複数設け、そのねじ穴２５に取り付けねじ１１を施して調理器本体１の開放部９に外部から着脱自在に取り付けている。この加熱庫６を調理器本体１の開放部９に取り付けた構成で、キッチン１２にセットする調理機材のモジュール寸法規格を満足することとなる。すなわち、図５、図６に示すように、キッチン１２に設けてある規格寸法の収容穴１３に調理器本体１の前部を下に向けながら収納する。そして、調理器本体１の前部をキッチン１２の前穴１４にセットし天板２をキッチン１２に設置することで調理器本体１のセットを終了できるものである。
【００１７】
また、加熱庫６内には、上ヒーター１５と下ヒーター１６を備え、加熱装置を形成している。上ヒーター１５と下ヒーター１６との間で下ヒーター１６直上には着脱自在に焼き網１７が備えられている。水受け皿１８は焼き網１７を載置するとともに調理時に水を満たして下ヒーター１６の熱が加熱庫６下部を加熱することを防止する構成としている。
【００１８】
加熱庫６の最奥部上部中央には、一端を庫内と連通した略Ｌ字状の排気口１９が設けられ、他端を調理器本体１の冷却空気の排気口２８と同一箇所に配置して外方と連通してある。加熱庫６と排気口１９との接続部は溶接加工またはかしめ加工で固定され琺瑯加工を施してある。この琺瑯加工により加熱庫６と排気口１９との接続部が気密性を維持することで、排気が漏れることを防いでいる。
【００１９】
排気口１９の側面には温度センサー２９が備えられている。温度センサー２９は加熱庫６内で加熱された空気や発生した煙が排気口１９から排気されるときにその温度を検出し、制御回路５に接続された上ヒーター１５と下ヒーター１６とを制御する。
【００２０】
加熱庫６の前面には開口部２０が設けてあり、魚などの被調理物２１を出し入れする。この開口部２０は加熱庫６の前面に一体に備えた加熱庫扉２２によって概略閉塞されている。加熱庫扉２２には水受け皿１８が備えてあり、着脱時には連動して加熱庫６内を摺動する。加熱庫扉２２には把手２３が設けてあり、加熱庫扉２２の開閉時にここを持って使用する。
【００２１】
加熱庫扉２２の内側、つまり加熱庫６側にはフッ素ゴムや水素ニトリルゴムなどで形成されたシールパッキン２４が備えてある。シールパッキン２４は下側を切り欠いて略下向きに開いたコ字形をしている。シールパッキン２４は、当然、加熱庫扉２２の開閉時に水受け皿１８とともに摺動して移動するときに加熱庫扉２２とともに移動する。
【００２２】
加熱庫６の外周にはガラス繊維などで形成された断熱材３０が側面と底面を覆い、天面も覆っている。その上から亜鉛めっき鋼板などで形成された上外形材３１と下外形材３２とで覆って断熱材３０を加熱庫６に固定してある。上、下外形材３１、３２には前記取り付けフランジ１０を設けているものである。
【００２３】
加熱庫６と調理器本体１の電気接続は、加熱庫６に設けられたコネクター２６を調理器本体１の接続部（図示せず）に接続することで行われる。
【００２４】
なお、天板２の外周に設けたトップフレーム２７は、琺瑯鋼板かステンレス鋼板などで形成され、天板２と水密的に張り合わせている。そして、調理器本体１の排気口２８は、このトップフレーム２７の奥部に位置して設けている。
【００２５】
次に、以上のように構成された加熱調理器について、以下その動作、作用を説明する。
【００２６】
加熱庫６内の焼き網１７上に被調理物２１である魚を載置する。水受け皿１８内に水を満たして上ヒーター１５と下ヒーター１６に通電して加熱調理を行う。加熱調理は温度センサー２９により温度を検知しながら制御回路５で上ヒーター１５と下ヒーター１６との通電制御を行い自動で完了させる。
【００２７】
加熱庫６での調理中に加熱コイル３で湯沸しや炒め物などの調理を行うときには、前記制御回路５による加熱コイル３への電力供給があり、制御回路５と加熱コイル３が発熱し、冷却装置７が駆動する。また、加熱コイル３へ供給する電力により、制御回路５での発熱量が異なるので、冷却装置７の回転数を消費電力により変化させたり、制御回路５のパワーエレクトロニクス素子の温度を測定し冷却装置７の回転数を制御したりして、調理中に冷却装置７の騒音を低減する構成になっている。
【００２８】
冷却装置７の回転数を一定にするには、最大消費電力時でも十分に制御回路５や加熱コイル３を冷却するだけの風量を確保するために回転数を大きく設定する必要がある。しかし、一方で調理中の冷却装置７の騒音を低減して快適な調理環境を提供しなければならないので、冷却装置７の回転数制御が必要になる。
【００２９】
冷却装置７の回転数を変化させると、調理器本体１内部に空気を送風することになり、内部の気圧が上昇する。この圧力の一部が加熱庫６の構成部品の隙間から庫内に侵入して加熱庫６内を冷却して、被調理物２１の温度が低下するとともに温度センサー２９の測定値に誤差を生じさせて、特に自動調理モードにおいては焼き具合が変化してしまうことが考えられるが、加熱庫６は調理器本体１と別個に独立し、調理器本体１に外部から着脱自在に取り付けているため、冷却装置７の冷却風の影響を受けることはない。
【００３０】
一方、加熱中に加熱庫６内は約３００度に上昇する。しかし、排気口１９は加熱庫６より上方に位置するので、加熱庫６内の熱気の煙突効果により排気口１９から熱気が排出される。被調理物２１から放出された煙などを巻き込みながら、空気はこの間に加熱されて熱気となり加熱庫６後部上方の排気口１９を上昇して外方へ排出される。
【００３１】
さらに、調理器本体１で最初に故障し出すのは一般的に加熱庫６であり、加熱庫６の庫内が汚れた場合は掃除などをするが経時変化で傷みが激しい場合は加熱庫６を交換する必要がある。加熱庫６を分解するには、調理器本体１をキッチン１２の収容穴１３から調理器本体１を取り出し、取り付けねじ１１を外して加熱庫６の取り付けフランジ１０を調理器本体１から外す。コネクター２６を接続部（図示せず）から外して調理器本体１から分離する。
【００３２】
このように、調理器本体１の内部を分解することなく加熱庫６を分離することができる。また、加熱庫扉２２は加熱庫６に備えられているので、加熱庫６と一体的に着脱することができるし、加熱庫６とともにユニットとして丸ごと交換することができてサービス性の良い加熱調理器を提供することができる。
【００３３】
なお、本実施の形態では上ヒーター１５と下ヒーター１６は電気的に加熱したが、ガスなどの熱源を使用しても効果は同じである。
【産業上の利用可能性】
【００３４】
以上のように、本発明にかかる加熱調理器は、調理器本体内に充満した冷却風により加熱庫が影響を受けず、しかも必要時には簡易にメンテナンスが可能となるので、ロースターに限らずガスグリルや電子レンジなどの用途、また、電気オーブンなどの用途にも適用できる。
【図面の簡単な説明】
【００３５】
【図１】本発明の実施の形態における加熱調理器の分解斜視図
【図２】同加熱調理器における加熱庫の分解斜視図
【図３】同加熱調理器の断面図
【図４】同加熱調理器の内部構成を示す分解斜視図
【図５】同加熱調理器を組み込むキッチンの斜視図
【図６】同加熱調理器をキッチンへ組み込む状態を示す断面図
【符号の説明】
【００３６】
１  調理器本体
２  天板
３  加熱コイル
４  加熱操作部
５  制御回路
６  加熱庫
７  冷却装置
８  被加熱物
９  開放部
１９、２８  排気口
２１  被調理物
２２  加熱庫扉
３０  断熱材
【図１】
2006344455.tif 000003
【図２】
2006344455.tif 000004
【図３】
2006344455.tif 000005
【図４】
2006344455.tif 000006
【図５】
2006344455.tif 000007
【図６】
2006344455.tif 000008